(57)【要約】【課題】  ＰＯＰ  ｂｅｆｏｒｅ  ＳＭＴＰ送信とＰＯＰ３受信とを同時に動作させても電子メールを安定して送受信できるメール送受信装置を提供する。【解決手段】  送信アカウントを送信アカウント記憶領域２０に記憶し（ステップＳ１１）、受信アカウント記憶領域２１に記憶されたアカウントと、送信アカウントとが一致しているか判断する（ステップＳ１２）。一致していなければ、ＬＡＮ制御部１９はＰＯＰサーバ３に接続して送信アカウントでログインして切断し（ステップＳ１３）、ＳＭＴＰサーバ４に接続して電子メールを送信する（ステップＳ１４）。一致していれば、ＬＡＮ制御部１９は、直ちにＳＭＴＰサーバ４に接続して電子メールを送信する（ステップＳ１４）。本処理で送信に使用した送信アカウントを送信アカウント記憶領域２０から消去して（ステップＳ１５）、処理を終了する【選択図】    図３
2005216222.tif 000002
【特許請求の範囲】
【請求項１】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置におけるメール送受信方法であって、
受信中の電子メールに対応する識別情報と送信しようとする電子メールに対応する識別情報とが一致するか判断し、
受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信することを特徴とするメール送受信方法。
【請求項２】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置におけるメール送受信方法であって、
送信中の電子メールに対応する識別情報と受信しようとする電子メールに対応する識別情報とが一致するか判断し、
送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信することを特徴とするメール送受信方法。
【請求項３】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置におけるメール送受信方法であって、
受信中の電子メールに対応する識別情報と送信しようとする電子メールに対応する識別情報とが一致するか判断し、
受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信し、
送信中の電子メールに対応する識別情報と受信しようとする電子メールに対応する識別情報とが一致するか判断し、
送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信することを特徴とするメール送受信方法。
【請求項４】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置であって、
識別情報判断手段とメール送信手段とを備え、
前記識別情報判断手段は、受信中の電子メールに対応する識別情報と送信しようとする電子メールに対応する識別情報とが一致するか判断し、
前記メール送信手段は、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信することを特徴とするメール送受信装置。
【請求項５】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置であって、
識別情報判断手段とメール受信手段とを備え、
前記識別情報判断手段は、送信中の電子メールに対応する識別情報と受信しようとする電子メールに対応する識別情報とが一致するか判断し、
前記メール受信手段は、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信することを特徴とするメール送受信装置。
【請求項６】
ＰＯＰ３プロトコルに基づき識別情報を用いてＰＯＰサーバによる認証を受けた後にＰＯＰサーバから前記識別情報に対して受信を許可される電子メールを受信する機能とＰＯＰ  ｂｅｆｏｒｅ  ＳＭＴＰに基づき前記識別情報を用いてＰＯＰサーバによる認証を受けた後にＳＭＴＰサーバに電子メールを送信する機能とを備えるメール送受信装置におけるメール送受信装置であって、
識別情報判断手段とメール送信手段とメール受信手段とを備え、
前記識別情報判断手段は、受信中の電子メールに対応する識別情報と送信しようとする電子メールに対応する識別情報とが一致するか判断し、送信中の電子メールに対応する識別情報と受信しようとする電子メールに対応する識別情報とが一致するか判断し、
前記メール送信手段は、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信し、
前記メール受信手段は、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信することを特徴とするメール送受信装置。
【発明の詳細な説明】
【技術分野】
【０００１】
この発明は、メール送受信方法及びメール送受信装置に関する。
【背景技術】
【０００２】
特許文献１には、複数のユーザーが電子メールを送受信できるメール送受信装置が提案されている。このようなメール送受信装置は、電子メールを受信する際にＰＯＰサーバにアカウントを用いてログインし、ＰＯＰ  ｂｅｆｏｒｅ  ＳＭＴＰ送信によりＳＭＴＰサーバに電子メールを送信する際には、あらかじめ受信に使用するのと同一のアカウントを用いてＰＯＰサーバにログインしてＰＯＰ認証を受けておく必要がある。
【０００３】
ここで、メールの送信と受信とを同時に行う場合、同一のアカウントによるＰＯＰ  ｂｅｆｏｒｅ  ＳＭＴＰ送信におけるＰＯＰ認証とＰＯＰ受信におけるＰＯＰ認証とが重なり、ＰＯＰサーバに多重ログインが発生し、後に認証を求めた方に認証エラーが発生したり、ＰＯＰサーバの電子メールが消える現象が発生する等の不具合が起こる。
【特許文献１】特開２００３−６７３１５号公報
【発明の開示】
【発明が解決しようとする課題】
【０００４】
本発明は、ＰＯＰ  ｂｅｆｏｒｅ  ＳＭＴＰ送信とＰＯＰ３受信とを効率よく同時に動作させて電子メールを安定して送受信できるメール送受信装置を提供することを目的とする。
【課題を解決するための手段】
【０００５】
この発明のメール送受信方法は、ＰＯＰ３プロトコルに基づき識別情報を用いてＰＯＰサーバによる認証を受けた後にＰＯＰサーバから識別情報に対して受信を許可される電子メールを受信する機能とＰＯＰ  ｂｅｆｏｒｅ  ＳＭＴＰに基づき識別情報を用いてＰＯＰサーバによる認証を受けた後にＳＭＴＰサーバに電子メールを送信する機能とを備えるメール送受信装置におけるメール送受信方法である。第１のメール送受信方法は、受信中の電子メールに対応する識別情報と送信しようとする電子メールに対応する識別情報とが一致するか判断し、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信する。
【０００６】
第２のメール送受信方法は、送信中の電子メールに対応する識別情報と受信しようとする電子メールに対応する識別情報とが一致するか判断し、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信する。
【０００７】
第３のメール送受信方法は、受信中の電子メールに対応する識別情報と送信しようとする電子メールに対応する識別情報とが一致するか判断し、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信し、送信中の電子メールに対応する識別情報と受信しようとする電子メールに対応する識別情報とが一致するか判断し、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信する。
【０００８】
この発明のメール送受信装置は、ＰＯＰ３プロトコルに基づき識別情報を用いてＰＯＰサーバによる認証を受けた後にＰＯＰサーバから識別情報に対して受信を許可される電子メールを受信する機能とＰＯＰ  ｂｅｆｏｒｅ  ＳＭＴＰに基づき識別情報を用いてＰＯＰサーバによる認証を受けた後にＳＭＴＰサーバに電子メールを送信する機能とを備えるメール送受信装置であり、第１のメール送受信装置は、識別情報判断手段とメール送信手段とを備え、識別情報判断手段は、受信中の電子メールに対応する識別情報と送信しようとする電子メールに対応する識別情報とが一致するか判断し、メール送信手段は、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信する。
【０００９】
第２のメール送受信装置は、識別情報判断手段とメール受信手段とを備え、識別情報判断手段は、送信中の電子メールに対応する識別情報と受信しようとする電子メールに対応する識別情報とが一致するか判断し、メール受信手段は、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信する。
【００１０】
第３のメール送受信装置は、識別情報判断手段とメール送信手段とメール受信手段とを備え、識別情報判断手段は、受信中の電子メールに対応する識別情報と送信しようとする電子メールに対応する識別情報とが一致するか判断し、送信中の電子メールに対応する識別情報と受信しようとする電子メールに対応する識別情報とが一致するか判断し、メール送信手段は、受信中の電子メールに対応する識別情報と送信しようとする電子メールに対応する識別情報とが一致すればＰＯＰサーバに認証を要求せずにＳＭＴＰサーバに電子メールを送信し、受信中の電子メールに対応する識別情報と送信しようとする電子メールに対応する識別情報とが一致しなければＰＯＰサーバに認証を受けた後にＳＭＴＰサーバに電子メールを送信し、メール受信手段は、送信中の電子メールに対応する識別情報と受信しようとする電子メールに対応する識別情報とが一致すれば一致した識別情報に対応する電子メールの送信が終了した後にＰＯＰサーバによる認証を受けてＰＯＰサーバから電子メールを受信し、送信中の電子メールに対応する識別情報と受信しようとする電子メールに対応する識別情報とが一致しなければ直ちにＰＯＰサーバによる認証を受けてＰＯＰサーバから電子メールを受信する。
【発明の効果】
【００１１】
受信中の電子メールに対応する識別情報と送信しようとする電子メールに対応する識別情報とが一致するか判断し、一致すればＰＯＰサーバに認証を要求せずにＳＭＴＰサーバに電子メールを送信するため、ＰＯＰ  ｂｅｆｏｒｅ  ＳＭＴＰ送信とＰＯＰ３受信とを同時に動作させてもＰＯＰサーバにおけるＰＯＰ認証が重複せず電子メールを安定して送受信できる。送信中の電子メールに対応する識別情報と受信しようとする電子メールに対応する識別情報とが一致するか判断し、一致すれば一致した識別情報に対応する電子メールの送信が終了した後にＰＯＰサーバによる認証を受けてＰＯＰサーバから電子メールを受信するため、ＰＯＰ  ｂｅｆｏｒｅ  ＳＭＴＰ送信とＰＯＰ３受信とを同時に動作させてもＰＯＰサーバにおけるＰＯＰ認証が重複せず電子メールを安定して送受信できる。
【発明を実施するための最良の形態】
【００１２】
本実施形態のファクシミリ装置１は図１のネットワーク構成図に示されるように、ＬＡＮ、公衆回線網、インターネット等の各種通信回線２を通じて、ＳＭＴＰサーバ４とＰＯＰサーバ３に接続されるとともに他のファクシミリ装置等にも接続される。
【００１３】
ＰＯＰサーバ３は、自身が管理する電子メールアドレスを宛先とする電子メールを受信して一時的に記憶し、ファクシミリ装置１等から電子メールの受信要求を受ける際に、電子メールアドレスに対応付けて設定される識別情報（アカウント）をファクシミリ装置１等から受信して認証（ログイン）を行い、ログインされたアカウントに対応する電子メールをファクシミリ装置１等に送信する。ＰＯＰサーバ３とファクシミリ装置１等との通信はＰＯＰ３プロトコルに基づいて行う。
【００１４】
ＳＭＴＰサーバ４は、ＰＯＰサーバ３にログインされた後でなければ電子メールを送信しないＰＯＰ  ｂｅｆｏｒｅ  ＳＭＴＰを採用し、あらかじめ受信時に使用するアカウントを用いてＰＯＰサーバ３にログインしたファクシミリ装置１等から電子メールを受信して一時的に記憶し、宛先に指定された電子メールアドレスに従って他のファクシミリ装置等へ電子メールを送信する。ＳＭＴＰサーバ４とファクシミリ装置１等との通信は、ＳＭＴＰプロトコルに基づいて行う。
【００１５】
ファクシミリ装置１は、複数のアカウントを記憶し、電子メール受信時にはこのアカウントを用いてＰＯＰサーバ３にログインしてＰＯＰサーバ３からログインしたアカウントに対応する電子メール受信する機能をもち、電子メール送信時には受信時に使用するアカウントを用いてあらかじめＰＯＰサーバ３にログインしておき、続いてＳＭＴＰサーバ４に電子メールを送信する機能をもつ。
【００１６】
ファクシミリ装置１は図２の構成図に示すように、読取部（スキャナ）１１と書込部（プロッタ）１２と不揮発性メモリ１３と画情報圧縮再生部（ＤＣＲ）１４と通信制御部（ＣＣＵ）１５と制御部１６と操作表示部（オペボード）１７とメモリ１８とＬＡＮ制御部１９とを備える。
【００１７】
スキャナ１１は送信用にセットされた原稿を読み取り画情報を作成し、プロッタ１２は画情報を印字する。不揮発性メモリ１３は、送信先の電子メールアドレスを記載したアドレス帳、画情報ファイル、ユーザのアカウント等を記憶する記憶装置であり、ハードディスク等であってもよい。画情報圧縮再生部（ＤＣＲ）１４は、スキャナ１１で読み取られた画情報をＴＩＦＦ形式で圧縮したり、圧縮された画情報を元の画情報に伸長する。通信制御部（ＣＣＵ）１５は、ネットワーク２を通じて接続された他のファクシミリ装置等との通信を制御する。制御部１６は制御用プログラム等に従いファクシミリ全体を制御する。操作表示部（オペボード）１７は画面を通じて操作用インタフェースを提供し、電子メールの送信または受信の選択、アカウントの入力または選択、送信先電子メールアドレスの入力または選択等を行う。メモリ１８は、電子メール送信時にアカウントを記憶する送信アカウント記憶領域２０と、電子メール受信時にアカウントを記憶する受信アカウント記憶領域２１とを有する他、制御部制御用プログラムが読み込まれたり制御部１６の作業用メモリとして働く。ＬＡＮ制御部１９は、ＴＣＰ／ＩＰ、ＳＭＴＰ、ＰＯＰ３等の通信プロトコル制御を行ない、識別情報判断手段やメール送信手段やメール受信手段としてＳＭＴＰサーバ４やＰＯＰサーバ３と通信し、ＭＩＭＥ形式の電子メールを作成して送受信する。
【００１８】
ファクシミリ装置１で電子メールを送信する場合、操作表示部１７で送信先電子メールアドレスが入力され、アカウントが選択され、送信が選択されると、スキャナ１１で送信する原稿を読み取って画情報を作成し、送信先電子メールアドレスとともに不揮発メモリ１３に記憶させて蓄積する。蓄積された画情報はキュー管理されて、順次、ＤＣＲ１４によりＴＩＦＦ形式で変換され、ＬＡＮ制御部１９からＳＭＴＰサーバ４へＳＭＴＰプロトコルに基づいて電子メールとして送信される。
【００１９】
ＬＡＮ制御部１９がＳＭＴＰサーバ４へ電子メールを送信する送信処理を図３のフロー図を用いて説明する。ＬＡＮ制御部１９は、ＰＯＰ  ｂｅｆｏｒｅ  ＳＭＴＰ送信に使用するアカウント（送信アカウント）をメモリ１８の送信アカウント記憶領域２０に記憶し（ステップＳ１１）、メモリ１８の受信アカウント記憶領域２１に記憶されたアカウントと、送信アカウントとが一致しているか判断する（ステップＳ１２）。送信と同時に受信が動作していれば受信に使用されているアカウントが受信アカウント記憶領域２１に記憶されており、受信アカウント記憶領域２１に記憶されたアカウントと送信に使用するアカウントとが一致するか判断され、送信と同時に受信が動作していない場合は受信アカウント記憶領域２１は空であり不一致と判断される。
【００２０】
受信アカウント記憶領域２１に記憶されたアカウントと送信アカウントとが一致していなければ、ＬＡＮ制御部１９はＰＯＰサーバ３に接続して送信アカウントでログインして切断し（ステップＳ１３）、ＳＭＴＰサーバ４に接続して電子メールを送信する（ステップＳ１４）。受信アカウント記憶領域２１に記憶されたアカウントと送信アカウントとが一致していれば、ＬＡＮ制御部１９は、直ちにＳＭＴＰサーバ４に接続して電子メールを送信する（ステップＳ１４）。本処理で送信に使用した送信アカウントを送信アカウント記憶領域２０から消去し（ステップＳ１５）、送信処理を終了する。
【００２１】
ファクシミリ装置１で電子メールを受信する場合、ＬＡＮ制御部１９は、設定された一定時間毎に、または、操作表示部１７による受信の選択を受けて、ＰＯＰ３プロトコルに基づいてＰＯＰサーバ３に接続して電子メールを受信し、受信した電子メールからＴＩＦＦ形式の画情報を取り出してＤＣＲ１４で伸長してプロッタ１２から印字する。
【００２２】
ＬＡＮ制御部１９がＰＯＰサーバ３から電子メールを受信する受信処理を図４のフロー図を用いて説明する。ＬＡＮ制御部１９は、メモリ１８の送信アカウント記憶領域２０に記憶されたアカウントと、ＰＯＰ３受信に使用するアカウント（受信アカウント）とが一致しているか判断する（ステップＳ２１）。受信と同時に送信が動作していれば送信に使用されているアカウントが送信アカウント記憶領域２０に記憶されており、送信アカウント記憶領域２０に記憶されたアカウントと受信に使用するアカウントとが一致するか判断され、受信と同時に送信が動作していない場合は送信アカウント記憶領域２０は空であり不一致と判断される。
【００２３】
送信アカウント記憶領域２０に記憶されたアカウントと受信アカウントとが一致していなければ、一定時間の経過を待ち（ステップＳ２２）、送信アカウント記憶領域２０に記憶されたアカウントと、受信アカウントとが一致しているか判断する（ステップＳ２１）。送信アカウント記憶領域２０に記憶されたアカウントと受信アカウントとが一致していれば、ＬＡＮ制御部１９は、受信アカウントを受信アカウント記憶領域２１に記憶し（ステップＳ２３）、ＰＯＰサーバに接続して受信アカウントでログインし、電子メールを受信して切断する（ステップＳ２４）。本処理で受信に使用した受信アカウントを受信アカウント記憶領域２１から消去し（ステップＳ２５）、受信処理を終了する。数秒等に設定された一定時間待機して受信処理を繰り返す。
【００２４】
受信処理及び送信処理は、ハードウェアとしてＬＡＮ制御部１９に実行させてもよく、メモリ１８等の記憶装置から読み出された受信処理プログラムや送信処理プログラムによりＬＡＮ制御部１９に実行させるようにしてもよい。
【図面の簡単な説明】
【００２５】
【図１】ネットワークの構成図である。
【図２】ファクシミリ装置の構成図である。
【図３】送信処理のフロー図である。
【図４】受信処理のフロー図である。
【符号の説明】
【００２６】
１；ファクシミリ装置、２；通信回線、３；ＰＯＰサーバ、４；ＳＭＴＰサーバ、
１１；スキャナ、１２；プロッタ、１３；不揮発性メモリ、１４；ＤＣＲ、
１５；ＣＣＵ、１６；制御部、１７；操作表示部、１８；メモリ、
１９；ＬＡＮ制御装置、２０；送信アカウント記憶領域、２１；受信アカウント記憶領域
【図１】
2005216222.tif 000003
【図２】
2005216222.tif 000004
【図３】
2005216222.tif 000005
【図４】
2005216222.tif 000006